(57)【要約】【課題】デジタルペン専用用紙にデジタル写真画像を出力し、その上にデジタルペンで文字等を記入させることにより、手書き文字入り写真画像印刷物を提供する手書きメッセージ入り写真画像を印刷する印刷システム、および、印刷方法を提供する。【解決手段】前記課題の目的を達成するために、デジタルペンとデジタルペン専用用紙を使用し、デジタルカメラで撮影した写真に手書きメッセージを書き添えてプリントする手書きメッセージ入り写真画像を印刷するシステムであって、デジタルカメラを内蔵し、筆記機能を有するデジタルペンと、デジタルペン専用用紙と、デジタルペンから写真画像データを受信してサーバに受信画像を送信し、サーバから編集されたデータを受信する通信装置と、少なくとも写真画像情報読取部とを有し、前記通信装置に接続されて印刷物を出力する出力装置を有する印刷システムと、このシステムを使用する印刷方法を提供する。【選択図】  図１
2006163952.tif 000002
【特許請求の範囲】
【請求項１】
デジタルペンとデジタルペン専用用紙を使用し、デジタルカメラで撮影した写真に手書きメッセージを書き添えてプリントする手書きメッセージ入り写真画像を印刷するシステムであって、
デジタルカメラを内蔵し、筆記機能を有するデジタルペンと、デジタルペン専用用紙と、
デジタルペンから写真画像データを受信してサーバに受信画像を送信し、サーバから編集されたデータを受信する通信装置と、
少なくとも写真画像情報読取部とを有し、前記通信装置に接続されて印刷物を出力する出力装置と、
を有することを特徴とする手書きメッセージ入り写真画像印刷システム。
【請求項２】
請求項１に記載の手書きメッセージ入り写真画像印刷システムにおいて、
通信装置は、出力装置に組み込まれていることを特徴とする手書きメッセージ入り写真画像印刷システム。
【請求項３】
請求項１，２何れかに記載の手書きメッセージ入り写真画像印刷システムにおいて、
デジタルペンは、少なくとも通信装置に読取データを有線または無線で送信するための送信手段を有し、デジタルペン専用用紙には、少なくとも所定の間隔で配置されたドットと、データ入力が終了したことをデジタルペンに伝えるチェック領域が形成されたことを特徴とする手書きメッセージ入り写真画像印刷システム。
【請求項４】
請求項１〜３何れか１項に記載の手書きメッセージ入り写真画像印刷システムを使用した手書きメッセージ入り写真画像印刷方法であって、
少なくとも、デジタルカメラで撮影した写真画像を出力装置に読み取らせるステップと、読み取った写真画像から指定画像を選択して所定の記憶部に記憶させるステップと、
出力装置によって前記記憶させた写真画像をデジタルペン専用用紙に出力するステップと、
デジタルペンで専用用紙にメッセージを記入するステップと、
メッセージ情報と専用用紙情報とデジタルペン情報を通信装置を介してサーバに送信し関連付けするステップと、
通信装置を介して前記関連付け情報を出力装置で受信するステップと、前記所定の記憶部から出力されるべき写真画像を読み出し、手書きメッセージを合成して印刷物として出力するステップと、
からなることを特徴とする手書きメッセージ入り写真画像印刷方法。
【発明の詳細な説明】
【技術分野】
【０００１】
本発明は、デジタルペン専用用紙にデジタル写真画像を出力し、その上にデジタルペンで文字等を記入させることにより、手書き文字入り写真画像印刷物を提供する手書きメッセージ入り写真画像を印刷するシステム、および、印刷する方法に関する。
【背景技術】
【０００２】
従来、デジタルカメラで撮影した写真画像からハードコピーを作成する場合、写真画像が記録された記録媒体をプリントショップ等に持参して、プリント物を作成していた。
また、プリンタを所有している場合は、ハガキ作成ソフト等を利用して自宅でプリントしたり、通信端末を所有している場合は、インターネットで写真画像データをプリントサービス拠点に送信してプリント物を作成していた。
一方、旅行中に撮影した写真はさまざまな制約があって、旅先で印画紙に焼き付けることが難しい。その結果、旅行中等に撮影された写真は、撮影した日から幾分経過してからプリント物にされるのが通常である。
【０００３】
このような課題を解決するためにいくつかの技術が開示されている。
例えば、セルフ操作式のプリント装置において、利用者がデジタルカメラ等で撮影したデータと、観光地や店舗等その場所特有の写真画像とを合わせてプリントすることで、プリントサービスの付加価値を高めるとともに、プリント物の送付先の住所、氏名等を自動印刷する機能を実現する方法及び装置（例えば、特許文献１参照）。
【０００４】
また、識別データが付与された写真画像データを表示する表示手段Ａと、それとは別の位置に存在し、写真画像を表示する機能は持たない写真画像を印刷する印刷手段Ｂと、表示手段Ａで表示させた写真画像を印刷手段Ｂで印刷するよう、前記識別データと写真画像データと印刷処理とを関連づけて管理する管理手段Ｃで構成され、これらの各手段Ａ，Ｂ，Ｃが一つの構内にて通信を行うためにネットワークで接続されたシステム（例えば、特許文献２参照）。
【０００５】
【特許文献１】特開２００３−７２１９４号公報
【特許文献２】特開２００４−７２５０３号公報
【発明の開示】
【発明が解決しようとする課題】
【０００６】
しかしながら、前述の特許文献1で開示されている技術は、自分達で撮影した写真画像ではなくあらかじめ用意された写真画像を使用する技術であり、また、携帯端末に慣れていない利用者にとっては操作が難しい。
また、特許文献２で開示されている技術は、利用者が表示手段Ａがある位置から、印刷手段Ｂがある位置まで移動する必要があり、利便性に欠けるという課題がある。
【課題を解決するための手段】
【０００７】
上記課題を解決するために、本発明の手書きメッセージ入り写真画像印刷システムの請求項１に記載の発明は、デジタルペンとデジタルペン専用用紙を使用し、デジタルカメラで撮影した写真に手書きメッセージを書き添えてプリントする手書きメッセージ入り写真画像を印刷するシステムであって、デジタルカメラを内蔵し、筆記機能を有するデジタルペンと、デジタルペン専用用紙と、デジタルペンから写真画像データを受信してサーバに受信画像を送信し、サーバから編集されたデータを受信する通信装置と、少なくとも写真画像情報読取部とを有し、前記通信装置に接続されて印刷物を出力する出力装置と、を有することを特徴とするものである。
【０００８】
また、請求項２に記載の発明は、請求項１に記載の発明において、通信装置は、出力装置に組み込まれていることを特徴とするものである。
【０００９】
また、請求項３に記載の発明は、請求項１，２何れかに記載の発明において、デジタルペンは、少なくとも通信装置に読取データを有線または無線で送信するための送信手段を有し、デジタルペン専用用紙には、少なくとも所定の間隔で配置されたドットと、データ入力が終了したことをデジタルペンに伝えるチェック領域が形成されたことを特徴とするものである。
【００１０】
また、請求項４に記載の発明は、請求項１〜３何れか１項に記載の発明を使用した手書きメッセージ入り写真画像印刷方法であって、少なくとも、デジタルカメラで撮影した写真画像を出力装置に読み取らせるステップと、読み取った写真画像から指定画像を選択して所定の記憶部に記憶させるステップと、出力装置によって前記記憶させた写真画像をデジタルペン専用用紙に出力するステップと、デジタルペンで専用用紙にメッセージを記入するステップと、メッセージ情報と専用用紙情報とデジタルペン情報を通信装置を介してサーバに送信し関連付けするステップと、通信装置を介して前記関連付け情報を出力装置で受信するステップと、前記所定の記憶部から出力されるべき写真画像を読み出し、手書きメッセージを合成して印刷物として出力するステップと、からなることを特徴とするものである。
【発明の効果】
【００１１】
本発明の手書きメッセージ入り写真画像印刷システムおよび印刷方法によって、次の効果が期待できる。
１）１箇所で、しかも、短時間で手書きメッセージ入り写真画像印刷物を作成することができ、写真画像を新鮮な内に受取人に届けることができる。
２）例えば、観光地名，宿泊所名，ホテル名等が印刷された用紙を専用用紙化することができるために、印刷された印刷物はさらに新鮮度が増し、その場合、利用者は特別に専用用紙を用意する必要がない。
３）携帯電話などの通信端末が利用できるために、サービスを提供する施設ではプリンタなどの出力装置を用意するだけで済む。
【発明を実施するための最良の形態】
【００１２】
以下、図面を参照して、本発明の手書きメッセージ入り写真画像印刷システムおよび印刷方法について説明する。
図１は、本発明の手書きメッセージ入り写真画像印刷システムを構築するための装置構成について説明するための模式図，図２は、出力装置の機能について説明するためのブロック図，図３は、出力装置に写真画像データを取り込むための手順について説明するための図，図４は、メッセージ記入用紙に写真画像を印刷する手順について説明するための図，図５は、写真画像が印刷されたメッセージ記入用紙の一例について説明するための図，図６は、メッセージ記入用紙にメッセージを記入し、デジタルペンを介して通信装置にメッセージデータを送る手順について説明するための図，図７は、通信装置と出力装置によってメッセージ入り写真画像印刷物を印刷する手順について説明するための図，図８は、メッセージ入り写真画像の一例について説明するための図，である。
【００１３】
図１を参照して、本発明の手書きメッセージ入り写真画像印刷システムを構築するための装置構成について説明する。
本発明の手書きメッセージ入り写真画像印刷システムの、手書きメッセージ情報の入力、および、送信は、デジタルペン専用用紙１と、デジタルペン２が行っている。
また、デジタル写真画像情報は、デジタルカメラに搭載されるＩＣメモリや、カメラ付き携帯電話，その他各種ディスクメモリ等の記録メディア３から供給される。
また、デジタルペンから手書きメッセージと、写真画像情報を有線または無線で受信して、印刷情報に変換する作業は、サーバＡ６，サーバＢ７と通信装置４によって行われる。
また、記録メディア３から選択的に写真画像データを読み取って一時保管し、手書きメッセージ入力のためのデジタルペン専用用紙１を出力したり、最終的に手書きメッセージと合成してメッセージ入り写真画像印刷物を出力する作業は、出力装置５（以下、プリンタという。）によって行われる。
【００１４】
本実施形態では、「デジタルペン」、および、「専用用紙」はスウェーデン国のＡｎｏｔｏ社で開発されたアノトペン、および、アノトペン専用用紙の例で説明する。
デジタルペン専用用紙（以下、単に専用用紙という。）１には、０．３ｍｍ間隔のピッチで描かれた碁盤目状の罫線と、罫線上に形成された複数の小さなドットが印刷されている。
この小さなドット群は、前記１辺が０．３ｍｍの升が３６個形成された１．８ｍｍ四方の升目単位で１情報を構成し、専用用紙全面に配置されている。
少なくとも、１つのアプリケーションには、同一の専用用紙が存在しないようにドットが組み合わされて配置されている。
前述のドット群情報は、ペン先が専用用紙１のどの位置に在るか、デジタルペンに内蔵されたデジタルカメラで読み取られペン先が移動するとその座標値の軌跡がデジタルペンの記録部に記録されるようになっている。
【００１５】
デジタルペン２は、インクカートリッジが接続された筆記部，デジタルカメラ部，イメージプロセッサー部，メモリ等の記憶部，外部インターフェイスを伴った通信部等を、ペン内部に搭載し、専用用紙に印刷されたドット群情報をデジタルカメラ部で読み取って記憶部で記憶し、通信部で通信装置４に送信する。
外部とのインターフェイスは、ＵＳＢ（Ｕｎｉｖｅｒｓａｌ  Ｓｅｒｉａｌ  Ｂｕｓ），Ｂｌｕｅｔｏｏｔｈに対応している。
【００１６】
記録メディア３は、例えば、カメラ付き携帯電話や、デジタルカメラ等に搭載されて撮影された写真情報を記録している不揮発メモリ，駆動されて読み取られる各種ディスク等である。
【００１７】
また、通信装置４は、携帯電話，パーソナルコンピュータ，その他通信機能を有する装置である。
この通信装置４は、前記携帯電話や、パーソナルコンピュータのように独立したものでも、プリンタ５に組み込まれたものでもよい。
通信装置４は、デジタルペン２から送信された情報を、ＵＳＢや、Ｂｌｕｅｔｏｏｔｈ対応のインターフェイスで受信し、ＰＬＳ（Ｐａｐｅｒ  Ｌｏｏｋ−ｕｐ  Ｓｅｒｖｉｃｅ）と呼ばれるサーバＡ６に送信する。
サーバＡ６に送信される情報は、専用用紙に形成されたドットパターンの配列情報で、サーバAは、その配列情報を受信して、その専用用紙を担当するサーバ（アプリケーション別サーバ）を通信端末に紹介する。
【００１８】
サーバＡ６は、前記アプリケーション分野を担当するＡＳＨ（Ａｐｐｒｉｃａｔｉｏｎ  Ｓｅｒｖｉｃｅ  Ｈａｎｄｌｅｒ）と呼ばれるサーバＢ７のＵＲＬ（Ｕｎｉｆｏｒｍ  Ｒｅｓｏｕｒｃｅ  Ｌｏｃａｔｏｒ）を通信装置４に送信する。
通信装置４は、デジタルペンから送信された筆記情報の座標データをサーバＢ７のＵＲＬに送信する。
サーバＢ７は、通信端末４から受信したメッセージ入り写真画像データをアプリケーションプログラムによって編集し、印刷用メッセージデータとして通信端末４に送信する。
通信端末４は、受信した印刷用メッセージデータをプリンタ５に送信する。
【００１９】
プリンタ５については、図２で説明する。
【００２０】
図２を参照して、プリンタ５の機能について説明する。
プリンタ５は、入力用紙に手書きメッセージ情報入力用のドットパターン情報をプリントしたり、印刷用紙に手書きメッセージ情報と、写真画像情報が合成された手書きメッセージ入り写真画像を出力部５１でプリントする。
記録メディア３から入力された写真等の画像データは、インターフェイス５４を経由して取り込まれ、記憶部１（５７）に格納される。このときに表示部５２で複数の写真画像を表示させ、制御部５６によってプリントする写真画像を選択して格納させることもできる。
一方、サーバ経由で通信装置４から入力されたデータは、インターフェイス５３を介して一旦は、記憶部３（５９）に格納される。また、サーバＢ７から送信されたメッセージ入り写真画像作成用データ、例えば、専用用紙を作成するための使用可能なドットパターン情報、合成プログラムなどが記憶部２（５８）に格納される。
制御部５６は、記憶部５８に格納されたプログラムなどによって、記憶部１（５７）に格納されている写真情報と、記憶部３（５９）に格納されている手書きメッセージ情報とを読み出して合成し、印刷用紙にプリントする。
写真画像を確認するために監視装置５５や、表示部５２を利用する。
【００２１】
図３を参照して、プリンタ５に写真画像データを取り込むための手順について説明する
まず、プリンタの各種記録メディア接続部（インターフェイス）に記録メディアを接続する（ステップ１：以下Ｓ１）。
表示部にプリント対象となる写真画像を表示部に表示する（Ｓ２）。
プリントする写真画像を選択する（Ｓ３）。組写真として合成するソフトを搭載している場合は、このステップで、複数の写真を表示し、複数選択することができる。
選択された写真画像情報は、記憶部２に格納される。
次に、デジタルペンによる手書きメッセージ記入用紙をセットする（Ｓ４）。このステップでは、専用用紙をセットしても、その他の用紙をセットしてもよい。
プリンタの印刷ボタンを押す（Ｓ５）。
【００２２】
図４を参照して、プリンタ５によってメッセージ記入用紙に写真画像を印刷する手順について説明する。
図３の「ａ」によって選択された「プリント用写真画像情報」を記憶部１から読み出して、記憶部２、または、制御部に接続されたＲＡＭ（Ｒａｎｄｏｍ  Ａｃｃｅｓｓ  Ｍｅｍｏｒｙ）に一時記憶させる（Ｓ１１）。
記憶部２に格納されたプログラムによって写真画像を出力フォーマットに編集（以下トリミングという。）する（Ｓ１２）。
プリンタは、用紙トレイにセットされた用紙がドットパターン印刷済みの「専用用紙」であるか、「その他の用紙」であるか確認する。
その他の用紙というのは、観光地名，宿泊所名，ホテル名等が印刷された用紙をいう。
専用用紙である場合は、トリミングされた写真画像をプリントする（Ｓ１３）。
専用用紙でない場合は、記憶部２に格納されたドットパターン情報を参照してドットパターンが格納されている場合はドットパターンを出力情報に追加し（Ｓ１４）、Ｓ１３に進む。
プリンタは、記憶部に使用可能なドットパターンが格納されていない場合は、「エラー表示」を行って、サーバに問い合わせを行い使用可能なドットパターンをダウンロードする（Ｓ１５）。このステップは、プリンタの空き時間に行われてもよい。
【００２３】
図５を参照して、写真画像が印刷されたメッセージ記入用紙の一例について説明する。
図５に示すメッセージ記入用紙１は、図４のＳ１４で、ドットパターンと写真画像がプリントされたメッセージ記入用紙の例である。
写真画像１２は、ドットパターン１３に溶け込んだ状態で印刷されており、その境界線１４が明示されている。
また手書きメッセージを書き終わった際にチェックされるチェックマーク１１が専用用紙の片隅に形成されている。
メッセージを書き終わったら、チェック領域１１に、デジタルペンの筆記部でチェック（チェックマーク）を書き入れる。
手書きメッセージ情報のイメージ情報と、手書きメッセージが記入された専用用紙上の座標が写真画像情報の位置と関連付けられてデジタルペンのメモリ部に記録される。
【００２４】
図６を参照して、メッセージ記入用紙にメッセージを記入しデジタルペンを介して通信装置にメッセージデータを送る手順について説明する。
専用用紙または、ドットパターンがプリンタによってプリントされたメッセージ記入用紙にデジタルペンでメッセージを記入する（Ｓ２１）。
チェック領域にチェックマークを記入する（Ｓ２２）。
記載された情報はデジタルペンのメモリに記録され、チェックを記入した時点、または送信操作によって通信装置にメッセージ情報が送信される（Ｓ２３）。
【００２５】
図７を参照して、通信装置とプリンタによってメッセージ入り写真画像印刷物を印刷する手順について説明する。
通信装置は、図６のＳ２３で説明した「写真画像情報とメッセージ情報」ｂを受信し、通信装置の通信手段によって「写真画像情報とメッセージ情報」をサーバに送信する（Ｓ３１）。
サーバは、「写真画像情報とメッセージ情報」をプリント用の編集情報に変換して通信装置に送信し、通信装置は接続されたプリンタに転送する（Ｓ３２）。
プリンタは、「写真画像データとメッセージデータ」を受信し（Ｓ３３）、正常に受信されたことを確認し、さらに、プリンタの記憶部１に写真画像データが格納されていることを確認して出力データに編集する（Ｓ３４）。
写真画像とメッセージを合成して印画紙用紙等の印刷用紙に印刷する（Ｓ３５）。
Ｓ３３で「写真画像データとメッセージデータ」が正しく受信されていなかった場合、および、「写真画像データとメッセージデータ」が正しく受信されてたが記憶部１に写真画像データが格納されていなかった場合、所定の手順に従ってプリンタをチェックする（Ｓ３６）。
【００２６】
図８を参照して、メッセージ入り写真画像の一例について説明する。
図７のＳ３５によって、印刷されたメッセージ入り写真画像８は、縁取りされ、写真画像部８１に手書きイメージのメッセージ８２が書き込まれた（合成された）状態で印刷される。
【産業上の利用可能性】
【００２７】
ホテル，旅館等の宿泊施設や、観光地の観光スポットなどのサービス施設等で利用できる。
【図面の簡単な説明】
【００２８】
【図１】本発明の手書きメッセージ入り写真画像印刷システムを構築するための装置構成について説明するための模式図である。
【図２】プリンタの機能について説明するためのブロック図である。
【図３】プリンタに写真画像データを取り込むための手順について説明するための図である。
【図４】メッセージ記入用紙に写真画像を印刷する手順について説明するための図である。
【図５】写真画像が印刷されたメッセージ記入用紙の一例について説明するための図である。
【図６】メッセージ記入用紙にメッセージを記入しデジタルペンを介して通信装置にメッセージデータを送る手順について説明するための図である。
【図７】通信装置とプリンタによってメッセージ入り写真画像印刷物を印刷する手順について説明するための図である。
【図８】メッセージ入り写真画像の一例について説明するための図である。
【符号の説明】
【００２９】
１      デジタルペン専用用紙
２      デジタルペン
３      記録メディア
４      通信装置
５      出力装置，プリンタ
６      中継サーバ（ＰＬＳ）
７      アプリケーションサーバ（ＡＳＨ）
８      メッセージ入り写真画像印刷物
１１    チェック領域，チェックマーク
１２    写真画像
１３    ドットパターン情報
１４    写真画像の境界線
５１    出力部
５２    表示部
５３    外部装置（通信装置）とのインターフェイス
５４    各種記録メディア（媒体）とのインターフェイス
５５    監視部
５６    制御部
５７    記憶部１
５８    記憶部２
５９    記憶部３
８１    写真画像
８２    メッセージ
【図１】
2006163952.tif 000003
【図２】
2006163952.tif 000004
【図３】
2006163952.tif 000005
【図４】
2006163952.tif 000006
【図５】
2006163952.tif 000007
【図６】
2006163952.tif 000008
【図７】
2006163952.tif 000009
【図８】
2006163952.tif 000010